(57)【要約】【課題】  ヘッダシートの表裏を間違えて裏面を表側にして機械読取装置で読み取らせたとしても、前回の読み取り処理で読み取られた商品券のデータと合算されることを防止することができるヘッダシート及びヘッダシート処理方法を提供する。【解決手段】  ヘッダシートの裏面に、ヘッダシートの裏面であることを示す識別コードが機械読み取り可能に表示され、前記読取装置で、前記ヘッダシートの券面に表示されている機械読取用表示を読み取るステップと、前記機械読取用表示が、ヘッダシートの裏面であることを示す識別コードであるか否かを判定するステップと、前記判定で、裏面であることを示す識別コードであると判定された場合に、データベースに、ヘッダシートの裏面が読み取られたことを示すデータを登録する処理を行うステップとを有する。【選択図】        図２
2008090572.tif 000002
【特許請求の範囲】
【請求項１】
読取装置で商品券の機械読取用表示を読み取らせる際に、前記商品券に付して、該商品券よりも先に読取装置により読み取らせる必要がある情報が表面に表示されたヘッダシートであって、
前記ヘッダシートの裏面に、ヘッダシートの裏面であることを示す識別コードが機械読み取り可能に表示されていることを特徴とするヘッダシート。
【請求項２】
読取装置で商品券の機械読取用表示を読み取らせる際に、前記商品券に付して、該商品券よりも先に読取装置により読み取らせる必要がある情報が、表面に表示されたヘッダシートについて、前記読取装置で前記ヘッダシートを読み取らせる際に、ヘッダシートの表裏を入れ間違えて裏面側を読み取らせた場合のヘッダシート処理方法であって、
前記読取装置で、前記ヘッダシートの券面に表示されている機械読取用表示を読み取るステップと、
前記機械読取用表示が、ヘッダシートの裏面であることを示す識別コードであるか否かを判定するステップと、
前記判定で、裏面であることを示す識別コードであると判定された場合に、データベースに、ヘッダシートの裏面が読み取られたことを示すデータを登録する処理を行うステップと、
を有することを特徴とするヘッダシート処理方法。
【請求項３】
前記判定で、裏面であることを示す識別コードであると判定された場合に、裏面側を読み取ったことを知らせる警告処理が行われるステップを有することを特徴とする請求項２記載のヘッダシート処理方法。
【発明の詳細な説明】
【技術分野】
【０００１】
本発明は、読取装置を用いて、機械読取用表示が施された商品券の読み取り処理を行う際に、該商品券の機械読取用表示よりも先に、前記読取装置で読み取らせる必要を有する機械読取用表示が施されているヘッダシートと、ヘッダシートの表裏を入れ間違えた場合のヘッダシート処理方法に関する。
【背景技術】
【０００２】
従来、使用された商品券の回収業務を効率化するために、商品券に表示されたＯＣＲ等の機械読取用表示を読み取る機能を有するＯＣＲリーダなどの読取装置が利用されている。
そして、レジ毎に回収された商品券の束を読取装置で順次に読み取らせる前に、店舗番号、レジ番号などを記したヘッダシートを商品券の束の上に用意して、先にヘッダシートに表示された情報の読み取りを行い、読み取り処理を行った商品券の束が当該レジで扱った商品券であることが確認できるようにしてある。（例えば、特許文献１、参照）
【０００３】
【特許文献１】特開昭６３−３１１４７４号公報
【０００４】
通常、ヘッダシートと、回収された商品券の束とを順次に読取装置で読み取らせる処理を、時間間隔をあけて行なう場合に、前回に行われた処理で、読取装置で読み取った商品券データを直ぐにデータベースに登録させないで、今回の処理でヘッダシートに表示された情報の読み取りが行われた際に、前回に行われた処理による読取装置で読み取った商品券データをデータベースに登録させるようにしている。
つまり、読取装置で商品券の処理を行う際に、ヘッダシートの表裏を間違えて裏面側を表にして読み取らせた場合、白紙裏面によりヘッダシートがリジェクトされて、正確なデータの読み取りが行われないために、その後に読み取った商品券のデータが、前回に行われた処理で読み取ったデータの続きのデータとして合算された状態で処理されてしまい、正確なデータがデータベースに登録されないという問題がある。
【発明の開示】
【発明が解決しようとする課題】
【０００５】
そこで、本発明は、ヘッダシートと、回収された商品券の束とを順次に読取装置で読み取らせる処理を行う場合に、ヘッダシートの表裏を間違えて裏面を表側にして読取装置で読み取らせたとしても、ヘッダシートの裏面側を読み取ったことを確認することができるようにしてデータの修正を行えるようにすると共に、今回による読み取り処理を行う商品券のデータが、前回での読み取り処理で読み取られた商品券のデータと合算されることを防止することができるヘッダシート及びヘッダシート処理方法を提供する。
【課題を解決するための手段】
【０００６】
上記の課題を達成するために、本発明のヘッダシートは、読取装置で商品券の機械読取用表示を読み取らせる際に、前記商品券に付して、該商品券よりも先に読取装置により読み取らせる必要がある情報が表面に表示されたヘッダシートであって、前記ヘッダシートの裏面に、ヘッダシートの裏面であることを示す識別コードが機械読み取り可能に表示されていることを特徴とする。
【０００７】
また、本発明のヘッダシート処理方法は、読取装置で商品券の機械読取用表示を読み取らせる際に、前記商品券に付して、該商品券よりも先に読取装置により読み取らせる必要がある情報が、表面に表示されたヘッダシートについて、前記読取装置で前記ヘッダシートを読み取らせる際に、ヘッダシートの表裏を入れ間違えて裏面側を読み取らせた場合のヘッダシート処理方法であって、前記読取装置で、前記ヘッダシートの券面に表示されている機械読取用表示を読み取るステップと、前記機械読取用表示が、ヘッダシートの裏面であることを示す識別コードであるか否かを判定するステップと、前記判定で、裏面であることを示す識別コードであると判定された場合に、データベースに、ヘッダシートの裏面が読み取られたことを示すデータを登録する処理を行うステップと、を有することを特徴とする。
【０００８】
更に、本発明のヘッダシート処理方法は、前記判定で、裏面であることを示す識別コードであると判定された場合に、裏面側を読み取ったことを知らせる警告処理が行われるステップを有することを特徴とする。
【発明の効果】
【０００９】
本発明のヘッダシートは、ヘッダシートの裏面に、裏面であることを示す識別コードが機械読み取り可能に表示されているので、ヘッダシートの表裏を間違えて裏面を表側にして読取装置で読み取らせた場合でも、データベースに、ヘッダシートの裏面が読み取られたことを示すデータが登録されるので、ヘッダシートの裏面側を間違えて読み取ったことを確認することで、事後にデータの修正を行えるという効果がある。
【００１０】
また、本発明のヘッダシート処理方法は、ヘッダシートの表裏を間違えて裏面を表側にして読取装置で読み取らせた場合でも、データベースに、ヘッダシートの裏面が読み取られたことを示すデータが登録されるので、ヘッダシートの裏面側を間違えて読み取ったことを確認することで、データの修正を行えるという効果がある。
【００１１】
更に、本発明のヘッダシート処理方法は、読取装置でヘッダシートの裏面に表示されている裏面であることを示す識別コードが読み取られた場合に、裏面側を読み取ったことを知らせる警報処理が行われるので、今回による読み取り処理を行う商品券のデータが、前回での読み取り処理で読み取られた商品券のデータと合算されることを防止することができ、さらに表裏を間違えて読み取らせたヘッダシートを特定することが容易となるという効果がある。
【発明を実施するための最良の形態】
【００１２】
以下、本発明の実施形態に係るヘッダシート及びヘッダシート処理方法について、図面に基づいて詳細に説明する。
図１は、本発明の実施形態に係るヘッダシートの表面の平面図、図２は、本発明の実施形態に係るヘッダシートの裏面の平面図、図３は、本発明の実施形態に係るヘッダシート処理方法の作業の手順を示す図、図４は、本発明の実施形態に係るヘッダシート処理方法の処理手順を示すフローチャート図である。
【００１３】
図１に示すように、本発明の実施形態に係るヘッダシート１の表面側には、読取装置で読み取り可能な所定位置に、機械読取用表示として、バーコード２と、ＯＣＲ（Optical Character Recognition ）文字３とが表示されている。
これらの機械読取用表示であるバーコード２とＯＣＲ文字３には、それぞれヘッダシート識別コードと、店舗番号と、レジ番号となどが順番に記されていて、読取装置によりそれらのデータを光学的に機械読み取りできるように表示されている。
更に、店舗番号４とレジ番号５とは、文字や数字としても表示されており、処理を行う者が目視により確認できるように表示されている。
機械読取用表示であるバーコード２とＯＣＲ文字３には、同一のデータが表示されているので、これらの両方を表示してもよいし、また、どちらかの一方を表示するようにしてもよい。
【００１４】
また、図２に示すように、ヘッダシート１の裏面には、ヘッダシートの裏面であることを示す識別コードが、バーコード７とＯＣＲ文字８とにより機械読み取り可能に表示されている。
裏面であることを示す識別コードは、読取装置でヘッダシート１の読み取りを行わせる際に、間違えてヘッダシート１の裏面側を表側にして読み取りを行わせた際に、読取装置によりヘッダシート１の裏面側を表側にして読み取ったことを識別可能としたコードのことを言う。
【００１５】
ヘッダシートを用いた処理を行う場合について説明すると、図３に示すように、店舗の出納には読取装置９が設置されており、また、読取装置９は、読取装置９で読み取られた商品券データをデータベースに登録したデータ管理を行うためのコンピュータ装置１０と通信可能に接続されている。
この読取装置９で読み取り処理する際には、店舗内の販売で消費者から代金として入手した回収券である商品券１０と、ヘッダシート１と、回収伝票１１とが１回分の処理時に用意される。
そして、ヘッダシート１には、商品券を回収したレジが特定できるように、店舗番号とレジ番号とが目視可能に表示され、更に、ヘッダシート識別コードと、店舗番号と、レジ番号が、バーコード２とＯＣＲ文字３で表示されている。
【００１６】
読取装置９で、回収券である商品券１０のデータを読み取って処理する場合の処理手順は、図３に示すようになる。
まず、読取装置９にヘッダシートと回収券の束をセットして、データ読み取りを行う。
ヘッダシートおよび回収券である商品券１０の束は、順次データ読み取り処理を行い、データ読み取り処理が無事に終了した場合には所定の位置に収納される。
【００１７】
また、ヘッダシートあるいは回収券である商品券１０のデータ読み取りが不能で出来なかった場合には、データ読み取りが不能なヘッダシートあるいは商品券がリジェクトされる。
このリジェクトされた商品券は、コンピュータ装置１２により手でキーボードから入力する。
そして、読取装置９で１日分の処理が完了した場合に、キーボードから入力されたデータを合算し、レジ別に処理された結果のデータと、回収伝票１１に記載されている回収券である商品券１０のデータとを照合して確認する。
そして、間違いがなければデータベースに登録されているデータを、所定の操作により確定する。
上記のデータ処理は、回収券である商品券１０に関する通常に行われている処理である。
【００１８】
次に、本発明の実施形態に係るヘッダシート処理方法を、図４のフローチャート図に基づいて説明する。
本発明の実施形態に係るヘッダシート処理方法は、上記した通常の読取装置９で、ヘッダシート１でその表面に表示されているバーコード２とＯＣＲ文字３とを読み取らせる際に、間違えてヘッダシート１の裏面を表にした状態で読み取らせた場合の処理方法に関するものである。
まず、読取装置９でヘッダシート１及び回収券の読み取り処理を行う。（ステップＳ１）
この読み取り処理で、ヘッダシート１あるいは回収券に表示されているバーコード２とＯＣＲ文字３の読み取りがうまく出来ない場合には、そのヘッダシート１あるいは回収券がリジェクト部に排出されてリジェクト処理が行われる。（ステップＳ２）
また、読取装置９でヘッダシート１あるいは回収券の読み取り処理ができた場合には、ヘッダシート１から読み取られたデータが正しいデータであるか否か判定処理がされる。（ステップＳ３）
【００１９】
この判定処理で、ヘッダシート１のデータであると判定された場合には、前回処理分の読取データがあるか否か判定される。（ステップＳ４）
前回処理分の読取データがあると判定された場合には、それらの前回処理分の読取データをデータベースに登録する。（ステップＳ５）
次に、今回の処理で読み取られたヘッダシート１のデータを一時記憶する。（ステップＳ６）
そして、読み取り済みのヘッダシート１を収納する。（ステップＳ７）
また、上記のステップＳ４で、前回処理分の回収券である商品券１０の読取データがないと判定された場合に、ステップＳ５をスキップしてステップＳ６に進む。
【００２０】
また、ステップＳ３で、読取装置９で読み取られたデータがヘッダシート１のデータでないと判定された場合は、読み取られたデータが、ヘッダシートの裏面であることを示す識別コードであるか否か判定される。（ステップＳ８）
この判定で、ヘッダシート１から読み取られたデータが、裏面であることを示す識別コードであると判定された場合は、その裏面であることを示す識別コードを一時的に記憶させる。（ステップＳ１０）
また、この判定で、ヘッダシート１から読み取られたデータが、裏面であることを示す識別コードであると判定された場合は、警告としてブザーが鳴ったり、警告表示がディスプレイに表示されるなどの警告処理が行われて知らせるように構成されている。
そして、ヘッダシート１が収納される。（ステップＳ７）
【００２１】
また、ステップＳ８の判定で、読み取られたデータが、ヘッダシート１の裏面であることを示す識別コードでないと判定された場合は、読み取られたデータが、エンド識別コードであるか否かの判定が行なわれる。（ステップＳ９）
ここで、エンド識別コードでないと判定された場合には、回収券である商品券１０のデータであるとして、読取データを一時記憶する。（ステップＳ１０）
そして、読み取り済みの回収券である商品券１０を収納する。（ステップＳ７）
【００２２】
また、ステップＳ９の判定で、読み取られたデータが、エンド識別コードであると判定された場合には、前回の読み取り処理で読み取られた回収券である商品券１０がデータベースに登録される。（ステップＳ１１）
そして処理が終了される。
【００２３】
尚、エンドシートとは、読取装置の読み取り処理を終了したい場合に、読取装置で読み取らせるシートであって、このエンドシートには、前回の読み取り処理で読み取られた商品券のデータをデータベースに登録させると共に読取装置を停止させることを指示するためのエンド識別コードが表示されている。
【００２４】
処理終了後に、データベースに登録された裏面識別コードを検索して、当該レジの裏面識別コード以降に読み取られた回収券である商品券の読取データのレジ番号を、正しいレジ番号に修正する。
【００２５】
以上の処理により、読取装置で、ヘッダシート１の裏面に表示されたバーコード７とＯＣＲ文字８とが機械読み取りされた場合に、裏面側を読み取ったことを知らせる警告処理が行われるので、表裏を間違えて読み取らせたヘッダシートを特定することが容易となり、また、ヘッダシートの裏面が読み取られたことを示すデータが登録されるので、事後にデータで修正を行える。
これにより、今回で読み取り処理を行う商品券のデータが、前回の読み取り処理で読み取られた商品券のデータと合算されることを防止することができるようにしてある。
【図面の簡単な説明】
【００２６】
【図１】本発明の実施形態に係るヘッダシートの表面の平面図である。
【図２】本発明の実施形態に係るヘッダシートの裏面の平面図である。
【図３】本発明の実施形態に係るヘッダシート処理方法の作業の手順を示す図である。
【図４】本発明の実施形態に係るヘッダシート処理方法の処理手順を示すフローチャート図である。
【符号の説明】
【００２７】
１  ヘッダシート
２，７  バーコード
３，８  ＯＣＲ文字
４  店舗番号
５  レジ番号
９  読取装置
１０  回収券である商品券
１１  回収伝票
１２  コンピュータ装置
【図１】
2008090572.tif 000003
【図２】
2008090572.tif 000004
【図３】
2008090572.tif 000005
【図４】
2008090572.tif 000006